(57)【要約】      （修正有）【課題】省スペースで効率よく、試供品等の物品を付加することのできるリーフレットラベル及びリーフレットラベル連続体を提供する。【解決手段】ベースフィルム１０と、このベースフィルム１０の表面に貼着される、商品関連情報が記載されたリーフレット本体２０と、このリーフレット本体２０の上に形成された、試供品等の物品Ｍの収納部３０とから構成されている。収納部３０は、透明の基材フィルムの裏面に透明の感熱接着剤層が積層されたカバーフィルムの周縁部を、リーフレット本体２０の上位表示片及びベースフィルム１０に熱接着することによって形成されており、リーフレット本体２０とカバーフィルムとの間に形成された空間内に物品Ｍが収容されている。カバーフィルム及び上位表示片には、リーフレット本体２０と収納部３０とを同時に開封する開封手段として、切込１ａ及びミシン目１ｂが形成されている。【選択図】図１
2008145553.tif 000002
【特許請求の範囲】
【請求項１】
裏面が粘着性を有するベースフィルムの表面にリーフレット本体が貼着されたリーフレットラベルにおいて、
前記リーフレット本体の上に物品の収納部が形成されていることを特徴とするリーフレットラベル。
【請求項２】
前記リーフレット本体と前記収納部とを同時に開封する開封手段を有している請求項１に記載のリーフレットラベル。
【請求項３】
請求項１または２に記載の複数のリーフレットラベルが長尺帯状の離型紙に一定間隔を開けて貼着されているリーフレットラベル連続体。
【発明の詳細な説明】
【技術分野】
【０００１】
この発明は、商品キャンペーンのインスタントくじや商品の説明書等として使用されるリーフレットラベル及びリーフレットラベル連続体に関する。
【背景技術】
【０００２】
この種のリーフレットラベルとしては、例えば、図１１に示すようなものがある。このリーフレットラベル５０は、同図に示すように、基材フィルム５２の裏面に粘着層５３が積層されたベースフィルム５１と、このベースフィルム５１の表面に貼着されるリーフレット本体５４とから構成されており、リーフレット本体５４は、図１２に示すように、種々の表示が印刷された上位表示片５５、下位表示片５６及び一または複数の中位表示片５７が連続的に繋がったものである。
【０００３】
前記下位表示片５６及び中位表示片５７は互い違いに折り畳まれた状態で、下位表示片５６がベースフィルム５１の表面に貼着されており、この折り畳まれた中位表示片５７を覆うように、上位表示片５５が上方側に折り返され、その先端部がベースフィルム５１の表面に貼着されている。
【０００４】
また、リーフレット本体５４には、ベースフィルム５１の表面に貼着された上位表示片５５の先端部を切り離すことができるように、その全幅にわたってミシン目５５ａが形成されている。
【０００５】
【特許文献１】特開２００３−５８０５９号公報
【発明の開示】
【発明が解決しようとする課題】
【０００６】
ところで、上述したようなリーフレットラベルを商品自体に貼着すると、商品関連情報を省スペースで効率よく、商品の購入者に提供することができるが、こういった商品関連情報が記載されたリーフレットラベルと共に、商品の購買意欲をかき立てるための試供品、景品、キャンペーンの応募葉書等の物品を商品に付加する場合は、リーフレットラベルを商品に貼着すると共に、試供品等の物品を何らかの方法で商品に別途装着しなければならないので、手間とコストがかかるといった問題がある。
【０００７】
また、商品自体が見えるように、透明の包装袋に収容したケチャップ等の商品の場合、例えば、商品関連情報が記載されたリーフレットラベル及び景品等の物品を収容した小袋の双方をその包装袋に貼着すると、商品自体が見えにくくなるといった問題もある。
【０００８】
そこで、この発明の課題は、省スペースで効率よく、試供品等の物品を付加することのできるリーフレットラベル及びリーフレットラベル連続体を提供することにある。
【課題を解決するための手段】
【０００９】
上記の課題を解決するため、請求項１にかかる発明は、裏面が粘着性を有するベースフィルムの表面にリーフレット本体が貼着されたリーフレットラベルにおいて、前記リーフレット本体の上に物品の収納部が形成されていることを特徴とするリーフレットラベルを提供するものである。
【００１０】
また、請求項２にかかる発明は、請求項１にかかる発明のリーフレットラベルにおいて、前記リーフレット本体と前記収納部とを同時に開封する開封手段を設けたことを特徴としている。
【００１１】
また、上記の課題を解決するため、請求項３にかかる発明は、請求項１または２に記載の複数のリーフレットラベルが長尺帯状の離型紙に一定間隔を開けて貼着されているリーフレットラベル連続体を提供するものである。
【発明の効果】
【００１２】
以上のように、請求項１にかかる発明のリーフレットラベルは、リーフレット本体の上に物品の収納部が形成されているので、このリーフレットラベルを商品に貼着するだけで、商品関連情報が記載されたリーフレット本体と商品の購買意欲をかき立てるための試供品、景品、キャンペーンの応募葉書等の物品とを、省スペースで効率よく、商品に付加することができる。
【００１３】
従って、リーフレットラベルを商品に貼着すると共に、試供品等の物品を何らかの方法で商品に別途装着する場合に比べて、その手間とコストを抑えることができると共に、商品自体が見えるように、透明の包装袋に収容した商品において、リーフレットラベル及び景品等の物品を収容した小袋等を、その包装袋に別々に貼着する場合に比べて、商品自体が見えにくくなりにくい。
【００１４】
特に、請求項２にかかる発明のリーフレットラベルでは、リーフレット本体と収納部とを同時に開封する開封手段を備えているので、従来のリーフレットラベルと同様に取り扱うことによって、収納部から物品を取り出すことができ、開封作業性に優れている。
【００１５】
また、請求項３にかかる発明のリーフレットラベル連続体は、請求項１または２に記載の複数のリーフレットラベルが長尺帯状の離型紙に一定間隔を開けて貼着されているので、通常のタックラベルの場合と同様に、タックラベラーを用いた自動装着が可能となる。
【発明を実施するための最良の形態】
【００１６】
以下、実施の形態について図面を参照して説明する。図１及び図２に示すように、このリーフレットラベル１は、商品に貼着されるものであり、ベースフィルム１０と、このベースフィルム１０の表面に貼着される、商品関連情報が記載されたリーフレット本体２０と、このリーフレット本体２０の上に形成された、試供品、景品、キャンペーンの応募葉書等の物品Ｍの収納部３０とから構成されている。
【００１７】
前記ベースフィルム１０は、図３に示すように、基材フィルム１１の裏面に粘着層１２が積層されたものであり、基材フィルム１１としては、二軸延伸ポリプロピレンフィルム、ポリエチレンテレフタレートフィルム、合成紙、紙等を使用することができ、１００℃以上の耐熱性を有していることが望ましい。
【００１８】
前記リーフレット本体２０は、図４に示すように、表裏両面に商品関連情報等が印刷された紙または合成紙等からなる帯状のリーフレット基材によって形成されており、このリーフレット基材を、折目線Ｌ１、Ｌ２で順次折り畳むことによって、上位表示片２１、中位表示片２２及び下位表示片２３が形成されている。
【００１９】
前記上位表示片２１の先端側は、折目線Ｌ２の外側に張り出しており、ベースフィルム１０における上位表示片２１の基端部側（折目線Ｌ１側）の端部を残して、ベースフィルム１０を覆うように、下位表示片２３の裏面における折目線Ｌ１側の端部付近及び上位表示片２１の裏面における張出縁が、所定幅で、ホットメルト接着剤Ａによって、ベースフィルム１０の表面に貼着されている（図１及び図２参照）。
【００２０】
前記収納部３０は、図５に示すように、透明の基材フィルム３１ａの裏面に透明の感熱接着剤層３１ｂが積層された、ベースフィルム１０と略同一形状及び同一サイズのカバーフィルム３１の周縁部を、図１及び図２に示すように、リーフレット本体２０の上位表示片２１における基端縁を除く、両側縁及び先端縁と、ベースフィルム１０における上位表示片２１の基端縁側の端部に熱接着することによって形成されており、リーフレット本体２０とカバーフィルム３１との間に形成された空間内に物品Ｍが収容されている。リーフレット本体２０は、ベースフィルム１０及びカバーフィルム３１と略同一幅を有しており、リーフレット本体２０の両側縁と、ベースフィルム１０及びカバーフィルム３１の両側縁とが相互に一致している。また、カバーフィルム３１のコーナ部を一部未シールにして熱接着部分を分断することによって、空気抜き孔１ｃが形成されており、収納部３０と外部とが連通されている。なお、図１における網掛け表示部分がカバーフィルム３１の熱接着部分を示している。
【００２１】
前記カバーフィルム３１を形成している基材フィルム３１ａとしては、二軸延伸ポリプロピレンフィルム、ポリエチレンテレフタレートフィルム等を使用することができ、カバーフィルム３１をリーフレット本体２０及びベースフィルム１０に熱接着することを考慮すると、１２０℃以上の耐熱性を有していることが望ましい。
【００２２】
また、カバーフィルム３１をリーフレット本体２０及びベースフィルム１０に熱接着する際、感熱接着剤層３１ｂを効率よく活性化させるためには、基材フィルム３１ａは薄いほうが望ましく、例えば、二軸延伸ポリプロピレンフィルムの場合は１０〜５０μｍ程度、ポリエチレンテレフタレートフィルムの場合は９〜３８μｍ程度の厚みのものを使用すればよい。
【００２３】
前記感熱接着剤層３１ｂを形成する感熱接着剤は特に限定されないが、ポリエチレンテレフタレートフィルムに対して熱接着温度が１００℃、熱接着時間が０．５秒、熱接着力が０．１ＭＰａという条件で、２．０Ｎ／１５ｍｍ以上の接着強度を有するものが好ましく、例えば、エチレン・酢酸ビニル共重合体（ＥＶＡ）、エチレン・エチルアクリレート共重合体（ＥＥＡ）、エチレン・アクリル酸共重合体（ＥＡＡ）、エチレン・メチルアクリレート共重合体（ＥＭＡ）、エチレン・メタクリル酸共重合体（ＥＭＡＡ）、エチレン・メチルメタアクリレート共重合体（ＥＭＭＡ）等の共重合体、無延伸ポリプロピレンフィルム（ＣＰＰ）、直鎖状低密度ポリエチレン（ＬＤＰＥ）等の低融点高分子樹脂等を使用することができ、これらに、石油系、テルペン系、ロジン系等の粘着付与剤、ワックス、滑剤の他、ゴム系高分子等を添加したものを使用してもよい。
【００２４】
また、このリーフレットラベル１には、リーフレット本体２０の上位表示片２１の先端縁側の熱接着部分やベースフィルム１０に対する上位表示片２１の貼着部分にかからないように、一方の側縁には、ベースフィルム１０、上位表示片２１及びカバーフィルム３１に切込１ａが形成されていると共に、ベースフィルム１０、カバーフィルム３１及び上位表示片２１には、切込１ａから他方の側縁に至るミシン目１ｂが形成されており、切込１ａをきっかけとして、ミシン目１ｂ部分でベースフィルム１０、カバーフィルム３１及び上位表示片２１を破断しながら、商品に貼着されているベースフィルム１０における上位表示片２１の先端側を剥離すると、図６に示すように、リーフレット本体２０と収納部３０とが同時に開封され、上位表示片２１及び中位表示片２２を開くことができると共に、収納部３０に収容されている物品Ｍを取り出すことができる。
【００２５】
以上のように構成されたリーフレットラベル１は、図７に示すように、長尺帯状の離型紙Ｓに一定間隔を開けて貼着されたリーフレットラベル連続体２をロール状に巻回した状態で供給され、このロール状に巻回されたリーフレットラベル連続体２を、通常のタックラベルの場合と同様に、タックラベラーにセットして繰り出しながら、離型紙Ｓから１枚づつ剥離して商品に貼着するようになっている。
【００２６】
以下、このリーフレットラベル連続体２の製造方法について、図８及び図９を参照しながら説明する。まず、図８（ａ）に示すように、ベースフィルム１０となる長尺帯状のタックフィルムＴＦを離型紙Ｓに貼着した状態で送出しながら、このタックフィルムＴＦの表面の所定位置にホットメルト接着剤Ａを線状に塗布していく。
【００２７】
次に、同図（ｂ）に示すように、折り畳んだ状態のリーフレット本体２０が、その幅方向に連続的に繋がった長尺帯状のリーフレット形成基材ＲＭを、タックフィルムＴＦと同様に、送出しながら、タックフィルムＴＦの所定位置に重ね合わせ、ホットメルト接着剤Ａによって、タックフィルムＴＦに貼着する。
【００２８】
続いて、同図（ｃ）に示すように、物品Ｍを一定間隔でリーフレット形成基材ＲＭの上に載せていくが、このとき、物品Ｍが動きにくいように、リーフレット形成基材ＲＭの上には、物品Ｍを載せる位置に対応して、予め、水滴等を付着させておく。
【００２９】
そして、図９（ａ）に示すように、カバーフィルム３１となる、タックフィルムＴＦと同一幅または幅広の長尺帯状の感熱接着性フィルムＡＦを、リーフレット形成基材ＲＭが貼着され、そのリーフレット形成基材ＲＭの上に物品Ｍが載せられたタックフィルムＴＦの上に重ね合わせ、同図（ｂ）に網掛け表示によって示すように、物品Ｍの周縁部をタックフィルムＴＦ及びリーフレット形成基材ＲＭに熱接着する。
【００３０】
最後に、同図（ｃ）に示すように、離型紙Ｓを残して、タックフィルムＴＦ、リーフレット形成基材ＲＭ及び感熱接着性フィルムＡＦを所定形状に打ち抜くと共に、ミシン目１ｂを形成した後、打ち抜かれた周囲の不要部分を離型紙Ｓから剥離して廃棄すると、図７に示すリーフレットラベル連続体２が出来上がる。
【００３１】
以上のように、このリーフレットラベル１は、リーフレット本体２０の上に物品Ｍの収納部３０が形成されているので、このリーフレットラベル１を商品に貼着するだけで、商品関連情報が記載されたリーフレット本体２０と商品の購買意欲をかき立てるための試供品、景品、キャンペーンの応募葉書等の物品Ｍとを、省スペースで効率よく、商品に付加することができる。
【００３２】
特に、このリーフレットラベル１では、リーフレット本体２０と収納部３０とを同時に開封するミシン目１ｂがベースフィルム１０、カバーフィルム３１及びリーフレット本体２０の上位表示片２１に形成されているので、従来のリーフレットラベルと同様に取り扱うことによって、収納部３０から物品Ｍを取り出すことができ、開封作業性に優れている。
【００３３】
また、このリーフレットラベル１では、カバーフィルム３１の周縁部をリーフレット本体２０及びベースフィルム１０に熱接着することによって収納部３０を形成しているので、収納部だけを別工程で個別に製造する必要がなく、上述したように、収納部３０を有するリーフレットラベル１を効率よく製造することができる。
【００３４】
なお、上述した実施形態では、収納部３０を形成するカバーフィルム３１におけるリーフレット本体２０の折目線Ｌ１側の端部をベースフィルム１０に熱接着しているが、これに限定されるものではなく、例えば、図１０（ａ）に示すリーフレットラベル１Ａのように、リーフレット本体２０がベースフィルム１０を完全に覆うような状態で、リーフレット本体２０をベースフィルム１０に貼着し、カバーフィルム３１の周縁部を、リーフレット本体２０の上位表示片２１だけに熱接着するようにしたり、同図（ｂ）に示すリーフレットラベル１Ｂのように、リーフレット本体２０における上位表示片２１の基端部の外側と先端部の外側にベースフィルム１０が張り出すような状態で、リーフレット本体２０をベースフィルム１０に貼着し、カバーフィルム３１におけるリーフレット本体２０の折目線Ｌ１側及び折目線Ｌ２側の双方の端部をベースフィルム１０に熱接着するようにしてもよい。ただし、リーフレット本体２０における上位表示片２１の基端部は、中位表示片２２が存在しているところと存在していないところで、厚みが異なり、安定した状態で熱接着することができないので、リーフレット本体２０における上位表示片２１の基端部を避けて、リーフレットラベル１、１Ｂのように、ベースフィルム１０に熱接着したり、厚みが一定である、上位表示片２１の基端部側の中央部寄りに熱接着することが望ましい。
【００３５】
また、リーフレットラベル１Ａの場合は、同図（ａ）に二点鎖線で示すように、上述したリーフレットラベル１と同様の位置に切込及びミシン目を形成すればよいが、リーフレットラベル１Ｂの場合は、同図（ｂ）に二点鎖線で示すように、ベースフィルム１０に対する上位表示片２１の貼着部分にかからない位置に切込及びミシン目を形成しておく必要がある。
【００３６】
また、上述した実施形態では、カバーフィルム３１の四方をリーフレット本体２０やベースフィルム１０に熱接着しているが、これに限定されるものではなく、開封前に収容した物品が容易に脱落したり、容易に取り出したりすることができないのであれば、カバーフィルム３１の三方や対向する二方のみを熱接着することで、収納部を部分的に開放するようにしてもよい。
【００３７】
また、上述した実施形態では、リーフレット本体２０と収納部３０とを同時に開封することができるようになっているが、これに限定されるものではなく、リーフレット本体２０と収納部３０とを個別に開封するようにしてもよい。
【００３８】
また、上述した各実施形態では、カバーフィルム３１、リーフレット本体２０及びベースフィルム１０によって収納部３０を形成したり、カバーフィルム３１及びリーフレット本体２０によって収納部３０を形成したりしているが、これに限定されるものではなく、物品が収容された独立した小袋等を収納部として、リーフレット本体の上に固着するようにしてもよい。
【００３９】
また、上述した実施形態では、１枚の中位表示片２２を有するリーフレット本体２０を採用しているが、これに限定されるものではなく、交互に折り畳むことによって複数枚の中位表示片を有するリーフレット本体を採用することも可能であり、中位表示片のないリーフレットラベルを採用することも可能である。
【図面の簡単な説明】
【００４０】
【図１】この発明にかかるリーフレットラベルの一実施形態を示す平面図である。
【図２】図１のＸ−Ｘ線に沿った断面図である。
【図３】同上のリーフレットラベルに使用されているベースフィルムを示す断面図である。
【図４】同上のリーフレットラベルに使用されているリーフレット本体を示す断面図である。
【図５】同上のリーフレットラベルの収納部を形成しているカバーフィルムを示す断面図である。
【図６】同上のリーフレットラベルを開封した状態を示す断面図である。
【図７】同上のリーフレットラベルの一供給形態であるリーフレットラベル連続体を示す平面図である。
【図８】（ａ）〜（ｃ）は同上のリーフレットラベル連続体の製造方法を示す工程図である。
【図９】（ａ）〜（ｃ）は同上のリーフレットラベル連続体の製造方法を示す工程図である。
【図１０】（ａ）、（ｂ）は他の実施形態であるリーフレットラベルを示す断面図である。
【図１１】従来のリーフレットラベルを示す斜視図である。
【図１２】同上のリーフレットラベルにおけるリーフレット本体を示す斜視図である。
【符号の説明】
【００４１】
１、１Ａ、１Ｂ  リーフレットラベル
２  リーフレットラベル連続体
１ａ  切込（開封手段）
１ｂ  ミシン目（開封手段）
１ｃ  空気抜き孔
１０  ベースフィルム
１１  基材フィルム
１２  粘着層
２０  リーフレット本体
２１  上位表示片
２２  中位表示片
２３  下位表示片
３０  収納部
３１  カバーフィルム
３１ａ  基材フィルム
３１ｂ  感熱接着剤層
Ａ  ホットメルト接着剤
Ｌ１、Ｌ２  折目線
Ｍ  物品
ＡＦ  感熱接着性フィルム
ＲＭ  リーフレット形成基材
Ｓ  離型紙
ＴＦ  タックフィルム
【図１】
2008145553.tif 000003
【図２】
2008145553.tif 000004
【図３】
2008145553.tif 000005
【図４】
2008145553.tif 000006
【図５】
2008145553.tif 000007
【図６】
2008145553.tif 000008
【図７】
2008145553.tif 000009
【図８】
2008145553.tif 000010
【図９】
2008145553.tif 000011
【図１０】
2008145553.tif 000012
【図１１】
2008145553.tif 000013
【図１２】
2008145553.tif 000014